(57)【特許請求の範囲】
【請求項１】
電磁結合により外部から電磁波を受ける充電用コイルと、前記充電用コイルが受けた電磁波により蓄電される蓄電手段と、前記蓄電手段に蓄電された電気エネルギーを記憶情報とともに送出する送出手段とを備えた３種類の充電機能付き鍵として、
解錠情報及び鍵ＩＤが前記記憶情報として記憶された解錠用鍵と、
前記鍵ＩＤを鍵ＩＤ情報として記憶するモードに切り換える切換指令情報が前記記憶情報として記憶された鍵ＩＤ記憶指令用鍵と、
前記鍵ＩＤの記憶を消去するモードに切り換える切換指令情報が前記記憶情報として記憶された鍵ＩＤ消去用鍵とを選択的に用い、
前記何れかの充電機能付き鍵が鍵穴に挿入されたときに、該充電機能付き鍵の送出手段から送出される記憶情報を少なくとも受信して信号処理する電気錠を備えた電気錠システムであって、
前記電気錠は、前記鍵穴への前記解錠用鍵の挿入時に該解錠用鍵から受信した鍵ＩＤと予め記憶された鍵ＩＤ情報とを照合して内容が一致したときに解錠され、
また、前記鍵穴への前記鍵ＩＤ記憶指令用鍵の挿入時に該鍵ＩＤ記憶指令用鍵から切換指令情報を受信し、その後の前記鍵穴に前記鍵ＩＤ記憶指令用鍵が挿入されるまでの間の前記鍵穴への前記解錠用鍵の挿入によって該解錠用鍵から受信した鍵ＩＤを照合用の鍵ＩＤ情報として記憶し、
さらに、前記鍵穴への前記鍵ＩＤ消去用鍵の挿入時に該鍵ＩＤ消去用鍵から切換指令情報を受信し、その後の前記鍵穴への前記鍵ＩＤ消去用鍵の再挿入による該鍵ＩＤ消去用鍵からの切換指令情報の受信時に鍵ＩＤ情報を消去することを特徴とする電気錠システム。
【請求項２】
前記電気錠は、前記鍵ＩＤ情報を選択的に消去するスイッチを備えたことを特徴とする請求項１記載の電気錠システム。
【請求項３】
前記充電機能付き鍵が個別に収納される複数の収納部を有し、前記充電機能付き鍵の前記収納部への収納時に前記充電用コイルと電磁結合して前記蓄電手段に蓄電させる給電手段が前記複数の収納部に個別に設けられた鍵管理装置を具備したことを特徴とする請求項１又は２記載の電気錠システム。
【発明の詳細な説明】
【０００１】
【発明の属する技術分野】
本発明は、主として雑居ビル等、複数のテナントがある集合ビルにおいて用いられる充電機能付き鍵を用いた電気錠システムに関するものである。
【０００２】
【従来の技術】
オフィスビルや雑居ビル等、複数のテナントがある集合ビルにおいて、各テナントの出入口に使用される施解錠装置としては、一般に、機械的な駆動により施解錠が行われる機械式錠と、特開平１−１２１４７７号（特許第２５５８０４１号）や特開平６−７３９２９号（特許第２５３２２６０号）等の公報に開示される電気信号によって施解錠が行われる電気式錠とに大別される。
【０００３】
機械式錠は、外筒と内筒の２重筒構造をなし、外筒と内筒との間に複数のロックピンが設けられる構成とされ、内筒に設けられた鍵穴に挿入される鍵により、鍵に形成される凹凸が各ロックピンに係合し、各ロックピンの位置が揃ったときに、内筒が外筒に対して回転可能となり、施錠又は解錠が行える、所謂シリンダ錠である。
【０００４】
また、電気式錠は、鍵自体に鍵ＩＤ等の情報と駆動電源を内蔵した構造となっており、錠側の電気回路に対し、この鍵を用いることにより駆動電源が錠に与えられるとともに、この鍵から鍵ＩＤが送られ、この鍵ＩＤが錠側の鍵ＩＤ情報の内容と一致したときに、施錠又は解錠が行われる構成となっている。
【０００５】
そして、このような施解錠装置に用いる各鍵は、上述のようにビルにおける各テナントの使用者が、各部屋への出入りのために使用するものであるが、その鍵を管理するには、各テナント使用者自身が個別に管理を行うか、または、そのビルの玄関などにて集中管理が行われるようになっている。
【０００６】
【発明が解決しようとする課題】
しかしながら、上述した施解錠装置の構造では、機械式錠の場合、鍵の紛失が起きたり、テナント使用者の入れ替わりがあった際に、保安性及び使用者への信頼性を保つために、錠及び鍵の交換が必要となるが、その交換作業、特に建物（ビル）側に付設される錠の交換が煩雑であるという問題を有するとともに、交換における多大な費用が生じ、また交換作業に時間がかかるという問題が生じてしまう。
【０００７】
また、ビルの管理者が、ビル内の全ての施解錠装置に対して施解錠が行えるマスターキーを所有し使用する場合があるが、このようなマスターキーは、特定の組み合わせの錠と鍵の間で機構的なグループ化がメーカー側にて設定されていることから、上記のような錠装置の交換がビル内の一部にて行われると、その鍵（マスターキー）が使用できなくなり、このような不具合を解消するために、ビル内の全てのテナントの錠及び鍵を交換しなければならず、施工工事やビルメンテナンスなどさらなる不具合が発生するという問題がある。
【０００８】
同様に、ビルにおける玄関の錠装置などのように、ビル内の各テナントが共用する錠装置は、全ての鍵、すなわち各テナントの使用する各鍵に対して作動可能な錠よりなる逆マスターキーとする場合があり、この場合にも、上記のような一部のテナントによる錠の交換等が起きた際には、全てのテナントの錠及び鍵、そして玄関の錠を交換しなければならず、非常に煩雑なものとなっていた。
【０００９】
そして、メーカー側では、上記のような錠と鍵の組み合わせによるグループ設定を管理するが、ビル単位で全ての錠及び鍵を交換するとなると、マスターキーや逆マスターキーの組み合わせに変更が発生することとなる。すなわちそのグループ単位で再び錠及び鍵の生産を行うこととなり、また、新たな管理を強いられることとなることから負担となっている。
【００１０】
特に、鍵を使用するテナント使用者が、短期間で入れ替わる場合が多いビルは、上述のような不具合が顕著となり、従って、上記機械式錠では、生産上、工事取付上、ビルメンテナンス上に管理が面倒であるいう問題があった。
【００１１】
また、上述した電気式錠の場合では、上記問題に加え、鍵に内蔵される駆動電源が電池であることから、この電池が消耗した場合に、その電池を新たな電池に交換する必要があり、その作業が煩雑となる欠点を有している。
【００１２】
さらに、この電池内蔵の鍵の場合、鍵の使用時に電池が消耗していると、この鍵を使用しても錠装置を駆動させることができないとともに、鍵ＩＤを錠側に送ることができず、解錠が不可能となる欠点を有している。したがって、有事の場合、解錠不可による危険の発生、すなわち非常時におけるドア開放不能などのおそれがある。
【００１３】
そこで本発明は、上記各問題点を解消するために、電池交換を必要とせず、錠を解錠する際に用いることができ、鍵の変更が発生したときでも、錠を交換することなく、充電機能付き鍵を用いて錠と鍵との組み合わせによる管理を簡便なものとし、廉価に施工等を行うことのできる電気錠システムを提供することを目的としている。
【００１４】
【課題を解決するための手段】
上記目的を達成するため、請求項１の発明は、電磁結合により外部から電磁波を受ける充電用コイルと、前記充電用コイルが受けた電磁波により蓄電される蓄電手段と、前記蓄電手段に蓄電された電気エネルギーを記憶情報とともに送出する送出手段とを備えた３種類の充電機能付き鍵として、
解錠情報及び鍵ＩＤが前記記憶情報として記憶された解錠用鍵と、
前記鍵ＩＤを鍵ＩＤ情報として記憶するモードに切り換える切換指令情報が前記記憶情報として記憶された鍵ＩＤ記憶指令用鍵と、
前記鍵ＩＤの記憶を消去するモードに切り換える切換指令情報が前記記憶情報として記憶された鍵ＩＤ消去用鍵とを選択的に用い、
前記何れかの充電機能付き鍵が鍵穴に挿入されたときに、該充電機能付き鍵の送出手段から送出される記憶情報を少なくとも受信して信号処理する電気錠を備えた電気錠システムであって、
前記電気錠は、前記鍵穴への前記解錠用鍵の挿入時に該解錠用鍵から受信した鍵ＩＤと予め記憶された鍵ＩＤ情報とを照合して内容が一致したときに解錠され、
また、前記鍵穴への前記鍵ＩＤ記憶指令用鍵の挿入時に該鍵ＩＤ記憶指令用鍵から切換指令情報を受信し、その後の前記鍵穴に前記鍵ＩＤ記憶指令用鍵が挿入されるまでの間の前記鍵穴への前記解錠用鍵の挿入によって該解錠用鍵から受信した鍵ＩＤを照合用の鍵ＩＤ情報として記憶し、
さらに、前記鍵穴への前記鍵ＩＤ消去用鍵の挿入時に該鍵ＩＤ消去用鍵から切換指令情報を受信し、その後の前記鍵穴への前記鍵ＩＤ消去用鍵の再挿入による該鍵ＩＤ消去用鍵からの切換指令情報の受信時に鍵ＩＤ情報を消去することを特徴とする。
【００１５】
請求項２の発明は、請求項１又は２の電気錠システムにおいて、
前記電気錠は、前記鍵ＩＤ情報を選択的に消去するスイッチを備えたことを特徴とする。
【００１６】
請求項３の発明は、請求項１の電気錠システムにおいて、
前記充電機能付き鍵が個別に収納される複数の収納部を有し、前記充電機能付き鍵の前記収納部への収納時に前記充電用コイルと電磁結合して前記蓄電手段に蓄電させる給電手段が前記複数の収納部に個別に設けられた鍵管理装置を具備したことを特徴とする。
【００１７】
【発明の実施の形態】
図１は本発明による充電機能付き鍵の内部構成を示す図、図２は本発明による電気錠システムを構成する電気錠の内部構成を示す図、図３は本発明による電気錠システムを構成する鍵管理装置の概観図、図４は鍵管理装置の部分拡大斜視図である。
【００１８】
本発明の電気錠システムは、充電機能付き鍵１を用いるもので、本実施の形態では、この充電機能付き鍵１と、電気錠２と、鍵管理装置３とで構成されている。
【００１９】
そして、この電気錠システムにおいては、充電機能付き鍵１を用いて電気錠２の制御、すなわち解錠等が行われるようになっている。また、この充電機能付き鍵１は、不使用時に鍵管理装置３に収納されて保管されるようになっている。
【００２０】
まずはじめに、充電機能付き鍵１の構成について説明する。
本実施の形態の充電機能付き鍵１は、図１に示すように、挿込部４と頭部５とを有する所定の厚さの板状の鍵本体６に、充電用コイル７と、ダイオード８と、蓄電器９と、送出手段としての電子回路１０と送信用コイル１１が内蔵されているとともに、スイッチ１２が設けられた構成とされている。
【００２１】
充電用コイル７は、鍵本体６の頭部５に埋設されており、本実施の形態では、この頭部５に対して延設される挿込部４の延出方向に対し直交するように設定され設けられている。そして、この充電用コイル７は、鍵管理装置３に収納された際に、この鍵管理装置３からの電磁エネルギーを受けるようになっている。
【００２２】
ダイオード８は、充電用コイル７に発生する交流電圧を整流するようになっている。
【００２３】
蓄電器９は、充電用コイル７の両端子間に介装され、ダイオード８によって整流された出力、すなわち鍵管理装置３からの電磁エネルギーにより充電されるようになっている。
【００２４】
電子回路１０は、蓄電器９に蓄電されているエネルギーを電源として作動する。電子回路１０には、スイッチ１２が接続されている。
【００２５】
電子回路１０は、鍵の情報、すなわち充電機能付き鍵１自身の鍵データを記憶保持している。また、電子回路１０は、スイッチ１２から接点信号が入力されたときに、記憶保持された鍵データと蓄電器９からのエネルギーとを送信用コイル１１より送出する仕様に構成されている。
【００２６】
スイッチ１２は、例えば押釦スイッチで構成され、鍵本体６の頭部５に表出するよう設けられている。スイッチ１２は、押されてオンしたときの接点信号が電子回路１０に入力するようになっている。
【００２７】
送信用コイル１１は、電子回路１０に接続されるとともに、鍵本体６の挿込部４先端に配設されている。送信用コイル１１は、スイッチ１２がオンして接点信号が電子回路１０に入力されたときに、電子回路１０からのエネルギー及び鍵データを電磁結合によって電気錠２に送出するようになっている。
【００２８】
なお、本実施の形態の充電機能付き鍵１は、３種類の機能をそれぞれ各別に有するよう３本の鍵にて構成されている。すなわち、電子回路１０内に記憶される鍵データの内容により、以下に示す（１）〜（３）の３種類の鍵１Ａ，１Ｂ，１Ｃに種別される。
【００２９】
（１）解錠用鍵１Ａ…電気錠２の施錠状態を解く、通常の解錠に用いる鍵。鍵データとしては、解錠のための鍵であるという解錠情報、及び鍵ＩＤが記憶されている。
【００３０】
（２）鍵ＩＤ記憶指令用鍵１Ｂ…電気錠２に対し鍵ＩＤ情報を記憶させるときに用いる鍵。鍵データとしては、鍵ＩＤ情報を記憶するモードに切り換える切換指令情報が記憶されている。
【００３１】
（３）鍵ＩＤ消去用鍵１Ｃ…電気錠２に記憶されている鍵ＩＤ情報を消去するときに用いる鍵。鍵データとしては、鍵ＩＤの記憶を消去するモードに切り換える切換指令情報が記憶されている。
【００３２】
そして、解錠用鍵１Ａは、例えば複数のテナントを有する集合ビルにおける各テナント使用者が使用する鍵であり、鍵ＩＤ記憶指令用鍵１Ｂ，鍵ＩＤ消去用鍵１Ｃは、ビルの管理者が使用する鍵とされる。
【００３３】
次に、電気錠２の構成について説明する。
本実施の形態の電気錠２は、例えばビルにおける各テナントの出入口ドアなどに配設されるもので、図２に示すように、受信手段としての受信用コイル１３と、ダイオード１４と、蓄電体１５と、処理手段としての錠ＣＰＵ１６と、駆動手段としてのアクチュエーター１７とで大略構成されている。
【００３４】
受信用コイル１３は、例えばドアにおけるドアノブ近傍に配設される鍵穴２ａ内に設けられ、前述した充電機能付き鍵１が鍵穴２ａに挿入された際に、鍵１の送信用コイル１１からの電磁波を受信するようになっている。
【００３５】
ダイオード１４は、受信用コイル１３に発生したエネルギーを整流するようになっている。
【００３６】
蓄電体１５は、受信用コイル１３の両端子間に介装され、ダイオード１４によって整流された出力により蓄電されるようになっている。
【００３７】
錠ＣＰＵ１６は、蓄電体１５に接続されており、蓄電体１５に蓄電されたエネルギーを電源として作動する。錠ＣＰＵ１６は、全体の処理プログラムが格納されたメモリを有している。
【００３８】
また、錠ＣＰＵ１６は、前記メモリ以外に、電気的に書込、消去自在で、電源が供給されていなくても内容を記憶保持するＥＥＰＲＯＭや同等のメモリエリアを有している。このメモリエリアには、鍵データ（鍵ＩＤを含む）、処理中のプログラム、現在のモード状態などが記憶される。
【００３９】
そして、この錠ＣＰＵ１６は、鍵１より送出されて受信用コイル１３に発生したエネルギーに含まれる鍵データの内容を読み込んで判別し、その判別結果に基づいてアクチュエーター１７を動作させる処理、錠ＣＰＵ１６のメモリエリアに鍵データを記憶する処理、錠ＣＰＵ１６のメモリエリア内に格納された鍵データを消去する処理を実行している。
【００４０】
なお、この錠ＣＰＵ１６に格納される処理プログラムは、前述した３種の充電機能付き鍵１（１Ａ，１Ｂ，１Ｃ）を判別するプログラム、充電機能付き鍵１に記憶されている鍵ＩＤを照合するプログラムなどで構成される。この処理プログラムによる処理手順については、図５〜図７にて示されるフローチャートを用いて後で説明する。
【００４１】
アクチュエーター１７は、例えば電磁ソレノイドなどで構成され、蓄電体１５を駆動電源とし、錠ＣＰＵ１６からの指令により作動する。
【００４２】
このアクチュエーター１７は、錠を構成するデッドボルトに連結され、デッドボルトを作動（例えば後退）させて、施錠状態から解錠状態へと動作させるようになっている。
【００４３】
次に、鍵管理装置３の構成について説明する。
【００４４】
この鍵管理装置３は、例えばビルにおける玄関部分などに設置され、ビル内の各テナント使用者が携帯して各部屋の出入りに使用する鍵（充電機能付き鍵１）を収納し、これを管理するものである。この鍵管理装置３では、鍵１を取り出して使用する場合、カードや、その他の個人ＩＤ等を必要とし、これらカードやＩＤを所有する者（テナント使用者）のみが該当する鍵１を取り出せるようになっている。
【００４５】
本実施の形態の鍵管理装置３は、図３に示すように、縦横整列状態（格子状）に配列された複数の収納部１８を備えた構成とされるとともに、これら収納部１８の側部に位置する前面パネル１９に、各収納部１８の操作を行うためのカード取り込み口２０、操作キー２１、表示部２２などが配設された構成となっている。
【００４６】
各収納部１８は、例えば縦長な矩形箱形状の収納体２３を有するとともに、前面パネル１９と略面一となる化粧板２４がこの収納体１８の前面に固設され、また、図示しないが、電磁ソレノイドなどの直動機構が奥方向に延出して連結された構成とされ、かつ、前面パネル１９に対して手前方向に突出できるように下縁部が軸支されており、すなわち揺動自在となるように設けられている。
【００４７】
収納体１８には、上端面に、スリット状の貫通孔２５が穿設されており、鍵１の挿込部４が挿入可能となっており、すなわち、図４に示すように、鍵１を垂直な状態で収納するようになっている。
【００４８】
そして、この収納体２３は、直動機構を駆動制御する制御装置（図示せず）により、通常時は収納体２３が垂直な状態となり、収納されている鍵１が化粧板２４及び前面パネル１９にて隠蔽され取り出せないように、すなわち管理されることとなり、また、所定のカード又はＩＤなどを使用することにより、制御装置が直動機構を駆動させ、収納体２３を揺動させて、この収納体２３を前面パネル１９より突出させて鍵の取り出しを可能とするようになっている。
【００４９】
また、この鍵管理装置３には、前述した充電機能付き鍵１に充電エネルギーを与えるための給電手段を備えている。
【００５０】
この給電手段として、本実施の形態では、各収納部１８に個別に設けられる給電コイル２６と、この給電コイル２６が接続される交流電源２７とを備えている。
【００５１】
給電コイル２６は、図４に示すように、各収納部１８に収納される充電機能付き鍵１の頭部５に近接し、この頭部５における板面に対して対向する位置となるよう配設されており、交流電源２７からの信号が与えられて電磁波が発生するようになっている。
【００５２】
そして、給電コイル２６は、収納部１８に収納される充電機能付き鍵１の充電用コイル７との間で電磁結合する。これにより、充電機能付き鍵１の蓄電器９に充電用エネルギーが与えられ、蓄電器９への充電が行われる。
【００５３】
なお、充電機能付き鍵１側の充電用コイル７と鍵管理装置３側の給電コイル２６とは、充電機能付き鍵１が鍵管理装置３に収納された際に、充電用コイル７に対して充分なエネルギーが与えられる条件を満足すれば、密接する必要はなく、所定の空間をおいて配設することができる。
【００５４】
次に、上記構成による電気錠システムの動作を説明する。
【００５５】
なお、複数のテナントを有するビルにおける各テナントが使用する複数の鍵（充電機能付き鍵１）を管理する例とし、各充電機能付き鍵１には、各テナントの電気錠２を解錠するための鍵ＩＤが記憶されているものとする。
【００５６】
まず、充電機能付き鍵１は、不使用時には鍵管理装置３に収納されて管理される。すなわち、鍵管理装置３では、図４に示すように、各鍵１が収納部１８内に収納される。
【００５７】
そして、充電機能付き鍵１は、鍵管理装置３に収納された状態で、給電コイル２６と充電用コイル７との電磁結合により、蓄電器９に対して常時充電が行われることとなる。
【００５８】
鍵管理装置３に収納された充電機能付き鍵１を使用する場合には、鍵管理装置３に対して、その充電機能付き鍵１の使用者であるテナント使用者が、カード操作や操作キーによるＩＤの入力により、そのテナント解錠用の鍵１（１Ａ）が収納されている収納部１８が開放することで、鍵１が取り出せることとなる。
【００５９】
次に、この充電機能付き鍵１にて、電気錠２を解錠する際には、この鍵１を電気錠２の鍵穴２ａに挿入させる。同時に、頭部５に設けられているスイッチ１２を押してオンする。
【００６０】
これにより、鍵１内の電子回路１０が起動するとともに、鍵１の挿込部４先端の送信用コイル１１より、この鍵１内の蓄電器９に蓄えられているエネルギー及び電子回路１０内に記憶されている鍵データが送出される。
【００６１】
電気錠２では、鍵１が挿入されて送信用コイル１１からエネルギーが送出されると、そのエネルギーを受信用コイル１３を介して蓄電体１５に蓄電するとともに、電気錠２内の錠ＣＰＵ１６が起動する。
【００６２】
錠ＣＰＵ１６は、鍵１からエネルギーとともに送出される鍵データを受け取り、この鍵データ内に含まれる鍵ＩＤを、錠ＣＰＵ１６内に記憶されている鍵ＩＤ情報と照合を行う。
【００６３】
そして、錠ＣＰＵ１６が記憶している鍵ＩＤ情報の内容と、挿入されている鍵１の鍵ＩＤとが一致していれば、錠ＣＰＵ１６は、アクチュエーター１７を作動させる指令を出力する。
【００６４】
そして、アクチュエーター１７は、錠ＣＰＵ１６の指令に基づき、蓄電体１５に蓄電されたエネルギーを電源として作動し、デッドボルトを後退させるなどの動作を行い、これにより電気錠２は解錠となる。
【００６５】
次に、上述した充電機能付き鍵１による電気錠２の解錠及び、この電気錠２の管理の手順等を図５乃至図７に示すフローチャートを用いて説明する。
【００６６】
まず、電気錠２側では、鍵１が挿入される以前、すなわち、鍵１が挿入されて錠ＣＰＵ１６が起動する以前に、この錠ＣＰＵ１６が鍵データの判別を行うプログラムモード（初期モード）が実行されるように予め設定されている（ＳＴ１）。
【００６７】
この状態で、鍵１が電気錠２の鍵穴２ａに挿入され（ＳＴ２）、鍵１のスイッチ１２が押されてオンすると、電磁結合により鍵１から電気錠２側に電源が供給されることとなり、これにより錠ＣＰＵ１６が起動する。
【００６８】
同時に、錠ＣＰＵ１６には鍵１から鍵データが送られ、錠ＣＰＵ１６は鍵データの判別を行う（ＳＴ３）。
【００６９】
そして、鍵データの内容が解錠用鍵１Ａを示す情報であれば（ＳＴ４）、錠ＣＰＵ１６は鍵穴２ａに挿入された鍵１を解錠用鍵１Ａと判別し（ＳＴ５）、鍵データの判別を行うプログラムモードから電気錠２を解錠するモードに移行する（ＳＴ６）。
【００７０】
そして、挿入された鍵１Ａの鍵ＩＤと錠ＣＰＵ１６内に記憶されている鍵ＩＤ情報とを照合し（ＳＴ７）、これらの内容が一致すれば（ＳＴ８）、錠ＣＰＵ１６は、アクチュエーター１７に解錠指令を出力し、アクチュエーター１７の駆動によりデッドボルトが作動し、電気錠２は解錠となる（ＳＴ９）。
【００７１】
その後、錠ＣＰＵ１６は、電気錠２を解錠するモードから鍵データを判別するプログラムモードに初期化する（ＳＴ１０）。そして、鍵１Ａが鍵穴２ａから抜き去られると（ＳＴ１１）、ＳＴ１に戻る。その際、鍵１Ａが抜き去られることで、鍵１Ａから錠ＣＰＵ１６への電源供給が絶たれるが、既に蓄電体１５に蓄電されているエネルギーにより錠ＣＰＵ１６への電源供給が行われるので、鍵１Ａが抜き去られた後でもＳＴ１の動作に戻ることができる。
【００７２】
ＳＴ８において、挿入されている鍵１Ａの鍵ＩＤと、錠ＣＰＵ１６内に記憶されている鍵ＩＤ情報とを照合した結果が不一致であれば、錠ＣＰＵ１６は電気錠２を解錠するモードから鍵データを判別するプログラムモードに初期化する（ＳＴ１２）。その際、アクチュエーター１７は作動せず、解錠とはならない。そして、鍵１Ａが鍵穴２ａから抜き去られると（ＳＴ１３）、ＳＴ１に戻る。
【００７３】
ＳＴ４において、挿入された鍵１の鍵データが鍵ＩＤ記憶指令用鍵を示すものであれば（ＳＴ１４）、錠ＣＰＵ１６は、鍵穴２ａに挿入された鍵１を鍵ＩＤ記憶指令用鍵１Ｂと判別し（ＳＴ１５）、錠ＣＰＵ１６は鍵データの判別を行うプログラムモードから鍵ＩＤを記憶する作動モードに移行する（ＳＴ１６）。
【００７４】
次に、鍵ＩＤ記憶指令用鍵１Ｂを鍵穴２ａから抜き（ＳＴ１７）、錠ＣＰＵ１６に鍵ＩＤを記憶させようとする解錠用鍵１Ａを鍵穴２ａに挿入させ（ＳＴ１８）、解錠用鍵１Ａのスイッチ１２を押してオンする。
【００７５】
これにより、錠ＣＰＵ１６は、挿入された解錠用鍵１Ａが送出する鍵ＩＤを内部に記憶する（ＳＴ１９）。
【００７６】
その後、鍵ＩＤの記憶を終えた解錠用鍵１Ａが鍵穴２ａから抜き去られると（ＳＴ２０）、錠ＣＰＵ１６はさらに鍵ＩＤを記憶するか否かの判別を行う（ＳＴ２１）。
【００７７】
ここで、この電気錠２を２本以上の解錠用鍵１Ａにて解錠可能とする逆マスターキーとして使用する場合、すなわち、さらに別の解錠用鍵１Ａを挿入させ、その解錠用鍵１Ａの鍵ＩＤを記憶させるときは、記憶済の解錠用鍵１Ａを鍵穴２ａから抜き去った後に、他の解錠用鍵１Ａを鍵穴２ａに挿入し、上記ＳＴ１８〜ＳＴ２１の動作が繰り返される。すなわち、錠ＣＰＵ１６に対して複数の解錠用鍵１Ａの鍵ＩＤの記憶が繰り返し行われる。
【００７８】
錠ＣＰＵ１６への鍵ＩＤの記憶を終え、さらなる鍵ＩＤの記憶を行わない場合には（ＳＴ２１）、再び鍵ＩＤ記憶指令用鍵１Ｂを鍵穴２ａに挿入する（ＳＴ２２）。
【００７９】
これにより、錠ＣＰＵ１６は、鍵ＩＤを記憶する作動モードから鍵データを判別するプログラムモードに初期化する（ＳＴ２３）。そして、鍵ＩＤ記憶指令用鍵１Ｂが鍵穴２ａから抜き去られると（ＳＴ２４）、ＳＴ１に戻る。
【００８０】
ＳＴ１４において、挿入された鍵１の鍵データが鍵ＩＤ記憶指令用鍵１Ｂでなく、鍵ＩＤ消去用鍵１Ｃを示すものであれば、錠ＣＰＵ１６は鍵穴２ａに挿入された鍵１を鍵ＩＤ消去用鍵１Ｃと判別し（ＳＴ２５）、鍵データを判別するプログラムモードから錠ＣＰＵ１６に記憶されている鍵ＩＤ情報を消去するモードに移行する（ＳＴ２６）。
【００８１】
その後、鍵ＩＤ消去用鍵１Ｃが鍵穴２ａから抜き去られると（ＳＴ２７）、錠ＣＰＵ１６は、錠ＣＰＵ１６内の鍵ＩＤ情報を消去するか否かの待機状態となる。
【００８２】
そして、錠ＣＰＵ１６内の鍵ＩＤ情報の消去を行うことに間違いがない場合は（ＳＴ２８）、再度鍵ＩＤ消去用鍵１Ｃが鍵穴２ａに挿入され（ＳＴ２９）、この鍵１Ｃのスイッチ１２が押されてオンとすると、錠ＣＰＵ１６内に記憶されている鍵ＩＤ情報の消去を行う（ＳＴ３０）。
【００８３】
その後、錠ＣＰＵ１６は、鍵ＩＤ情報を消去するモードから鍵データを判別するプログラムモードに初期化する（ＳＴ３１）。そして、鍵ＩＤ消去用鍵１Ｃが鍵穴２ａから抜き去られると（ＳＴ３２）、ＳＴ１に戻る。
【００８４】
なお、ＳＴ２８において、錠ＣＰＵ１６に記憶されている鍵ＩＤ情報の消去を行わない場合には、ＳＴ２７において抜き去った鍵ＩＤ消去用鍵１Ｃ以外の鍵、例えば解錠用鍵１Ａなどを鍵穴２ａに挿入し（ＳＴ３３）、スイッチ１２を押してオンする。
【００８５】
これにより、錠ＣＰＵ１６は、鍵ＩＤ情報を消去するモードから鍵データを判別するプログラムモードに初期化する（ＳＴ３４）。そして、鍵１が鍵穴２ａから抜き去られると（ＳＴ３５）、ＳＴ１に戻る。
【００８６】
したがって、上記実施の形態によれば、以下に示す効果を奏する。
【００８７】
鍵管理装置３に収納した際、鍵管理装置３側の給電コイル２６と充電機能付き鍵１の充電用コイル７との間が電磁結合し、鍵管理装置３から鍵１に電磁波が与えられことにより鍵１内の蓄電器９に非接触で充電することができる。
【００８８】
したがって、従来のような電池の消耗に伴う電池交換が不要となる。しかも、常にフル充電の状態で鍵１を使用することができ、従来のような電池消耗による解錠不良の不安が解決する。また、充電機能を有する鍵１を給電手段を備えた鍵管理装置３に収納するだけで鍵１の管理と共に充電も行えるので、充電のための特別な操作が不要であり、鍵の取り扱いが簡便となる。
【００８９】
電気錠２は、解錠を許可する鍵ＩＤ情報を記憶しているが、この鍵ＩＤ情報は、鍵ＩＤ記憶指令用鍵１Ｂが鍵穴２ａに挿入されて鍵ＩＤを記憶するモードに切り換えられたときに、その後に鍵穴２ａに挿入された解錠用鍵の鍵ＩＤに書換えられる。また、鍵ＩＤ消去用鍵１Ｃが鍵穴２ａに挿入されて鍵ＩＤを消去するモードに切り換えられたときには、電気錠２内の鍵ＩＤ情報が消去される。
【００９０】
したがって、鍵の変更が発生したときは、電気錠２に記憶されている鍵ＩＤを消去し、新たな鍵ＩＤを記憶させることにより、電気錠自体の交換を行うことなく、新たな鍵にのみ対応する電気錠を構成することができる。
【００９１】
また、電気錠２には複数の鍵ＩＤが記憶可能なので、マスターキー、逆マスターキーへの対応が可能となる。
【００９２】
すなわち、同一鍵ＩＤを複数の電気錠に記憶すれば、特定の鍵で複数の錠が解錠できるマスターキーとして機能させることができる。これに対し、同一電気錠に複数の鍵ＩＤを記憶すれば、特定の電気錠を複数の異なる鍵で解錠できる逆マスターキーとして機能させることができる。
【００９３】
このように、キープランの有無に関わらず、電気錠を同一仕様で生産及び取付が可能になる。また、キープランに変更が発生しても、電気錠に記憶されている鍵ＩＤ情報の消去、記憶を行うだけで済み、電気錠の交換が不要となる。
【００９４】
したがって、生産上も、工事上も、ビルのメンテナンス上も管理が簡単になり、コストを大幅に低減することができる。
【００９５】
なお、上述した実施の形態では、充電機能付き鍵１に設けられるスイッチ１２を、電気錠２を解錠しようとするときに指で押す押釦スイッチにて構成する例について述べたが、このスイッチ１２は、これに限定されることはなく、例えば、鍵１を鍵穴２ａに挿入させる操作のみで動作するスイッチや、鍵１が電気錠２の鍵穴２ａに挿入されたことを検知するセンサ等で構成させてもよい。
【００９６】
鍵１を鍵穴２ａに挿入させる操作のみで動作するスイッチとしては、例えばマイクロスイッチにて構成させ、その作動子が鍵本体６に対し突出する構造とし、この突出した作動子が、鍵１を鍵穴２ａに挿入した際に、鍵穴２ａの一部等に当接する構造とすればよい。この場合、鍵穴２ａへの鍵１の挿入と同時に鍵１内の電子回路１０が起動するよう構成できる。
【００９７】
また、鍵１が電気錠２の鍵穴２ａに挿入されたことを検知するセンサとしては、例えばリードスイッチと磁石の組み合わせで構成させ、リードスイッチを鍵１側に設け、電気錠２側の鍵穴２ａ内などにリードスイッチを作動させる磁石を設ける構成とする。この場合も、鍵穴２ａへの鍵１の挿入と同時に鍵１内の電子回路１０が起動するよう構成することが可能となる。
【００９８】
また、上述した実施の形態では、１つの電気錠２に対し１つの充電機能付き鍵１とした例について述べ、この充電機能付き鍵１に電気錠２を解錠するための鍵ＩＤを１つのみ電子回路１０に記憶した例について述べたが、この電子回路１０に記憶する鍵ＩＤを複数として構成してもよい。すなわち、対象となる電気錠の全ての鍵ＩＤを記憶した充電機能付き鍵１としてもよく、これにより、１つの充電機能付き鍵１によって複数の電気錠を解錠可能とするマスターキーを得ることができる。
【００９９】
同様に、充電機能付き鍵１の電子回路１０に、各部屋の電気錠を解錠するための鍵ＩＤと、共用する電気錠の解錠のための鍵ＩＤとの２つ以上の鍵ＩＤを記憶する構成とすれば、共用される電気錠が逆マスターキーを構成することが可能となる。
【０１００】
さらに、上述した本実施の形態の電気錠システムでは、電気錠２に対し解錠のみが行われる構成として説明し、充電機能付き鍵１を解錠用鍵１Ａとした例について述べたが、これに限ることはなく、施錠のみを行う構成としてもよく、さらには、施解錠の両用としてもよい。
【０１０１】
また、上述した実施の形態の電気錠２では、１つの解錠用鍵１Ａの鍵ＩＤを記憶する例として述べたが、複数で構成される電気錠の全ての電気錠に対して解錠を行うことのできる鍵の鍵ＩＤを記憶する構成、すなわち２つ以上の鍵ＩＤを記憶させた電気錠とする構成としてもよい。
【０１０２】
これにより、上記構成の電気錠は、全ての電気錠を解錠する鍵、いわゆるマスターキーと、その電気錠のみを解錠する鍵とに対応することとなる。
【０１０３】
さらに、この電気錠に、他のそれぞれの電気錠をそれぞれに解錠することの可能な各鍵の鍵ＩＤの全てを錠ＣＰＵ内に記憶させる構成としてもよい。これにより、その電気錠は、全ての鍵に対して解錠が可能な構成とすることができ、すなわち、逆マスターキーを構成することが可能となる。
【０１０４】
なお、このように複数の鍵の鍵ＩＤを記憶した電気錠では、電気錠側に例えばディップスイッチやロータリースイッチなどを設けて錠ＣＰＵと接続する構成とすれば、錠ＣＰＵ内の全ての鍵ＩＤを消去することなく、所望の鍵ＩＤのみを選択して消去することができる。
【０１０５】
この構成によれば、例えばビル内に有る複数のテナントのうち、１つのテナントが退出した場合に、そのテナントの使用していた鍵を使用不可に変更することが可能となり、ビルの保安性を保つことが可能となり、また、ビル管理者においてもその管理が容易なものとなる。
【０１０６】
また、上述した実施の形態の電気錠では、アクチュエーター１７を直動機構とした構成の例を示して説明したが、このアクチュエーター１７の構成はこれに限定されるものではない。
【０１０７】
また、上述した実施の形態における鍵管理装置３では、充電機能付き鍵１に対して充電を行う給電コイル２６を、各鍵１の充電用コイル７にそれぞれ対応するように１対１で構成した例について述べたが、これに限定されるものではなく、複数本の鍵１に対して１つの給電コイル２６を設ける構成などとしてもよい。
【０１０８】
この場合、大型な給電コイル２６の磁界が及ぶ範囲に複数の充電機能付き鍵１が収納される構成であれば、給電コイル２６から複数の充電用コイル７に一度にエネルギーを供給することができ、鍵管理装置３の内部における配線の省略化を図れることとなる。
【０１０９】
また、鍵管理装置３の給電コイル２６より発生させる電磁波は、常時発生状態とする必要はない。すなわち、鍵管理装置３の収納部１８内に充電機能付き鍵１が収納されているときのみ、電磁波を発生させて充電を行う構成としてもよい。その場合、例えば、鍵１が収納部１８に収納された状態を検知する手段を設け、この検知信号に基づいて交流電源から給電コイルに送られる信号の接断を切換制御する。
【０１１０】
さらに、上述した実施の形態では、鍵管理装置３の構成として、収納部１８に箱状の収納体２３を備え、この収納体２３を揺動させることで鍵１の取り出し、及び収納管理を行う構成としたが、鍵１を収納管理する構造としては、これに限定されることはなく、給電コイル２６を具備し、収納される鍵１が管理時には容易に取り出すことが不可能とする構造であればよい。
【０１１１】
【発明の効果】
以上の説明で明らかなように、本発明によれば、鍵が充電機能を有しているので、この鍵を給電手段を備えた鍵管理装置に収納するだけで、電磁結合により非接触で充電が行え、従来のような電池の消耗に伴う電池交換が不要となる。しかも、常にフル充電の状態で鍵を使用することができるので、従来のような電池消耗による解錠不良の不安が解決し、また、充電のための特別な操作が不要で、鍵の取り扱いが簡便となる。
【０１１２】
鍵の変更が発生したときは、電気錠に記憶されている鍵ＩＤを消去し、新たな鍵ＩＤを記憶させることにより、電気錠自体の交換を行うことなく、新たな鍵にのみ対応する電気錠を構成することができる。
【０１１３】
また、電気錠には複数の鍵ＩＤ情報が記憶可能なので、マスターキー、逆マスターキーへの対応が可能となる。具体的には、同一鍵ＩＤを複数の電気錠に記憶すれば、特定の鍵で複数の錠が解錠できるマスターキーとして機能させることができる。これに対し、同一電気錠に複数の鍵ＩＤを記憶すれば、特定の電気錠を複数の異なる鍵で解錠できる逆マスターキーとして機能させることができる。
【０１１４】
このように、キープランの有無に関わらず、電気錠を同一仕様で生産及び取付が可能になる。また、キープランに変更が発生しても、電気錠に記憶されている鍵ＩＤ情報の消去、記憶を行うだけで済み、電気錠の交換が不要となる。この結果、生産上も、工事上も、ビルのメンテナンス上も管理が簡単になり、コストを大幅に低減できる。
【図面の簡単な説明】
【図１】本発明による充電機能付き鍵の内部構成を示す図
【図２】本発明による電気錠システムを構成する電気錠の内部構成を示す図
【図３】本発明による電気錠システムを構成する鍵管理装置の概観図
【図４】鍵管理装置の部分拡大斜視図
【図５】本発明による電気錠システムの処理手順を示すフローチャート
【図６】本発明による電気錠システムの処理手順を示すフローチャート
【図７】本発明による電気錠システムの処理手順を示すフローチャート
【符号の説明】
１…充電機能付き鍵、２…電気錠、２ａ…鍵穴、３…鍵管理装置、７…充電用コイル、９…蓄電器、１０…電子回路、１１…送信用コイル、１２…スイッチ、１３…受信用コイル、１５…蓄電体、１６…錠ＣＰＵ、２６…給電コイル、２７…交流電源。
【図１】
0003955357.tif 000002
【図２】
0003955357.tif 000003
【図３】
0003955357.tif 000004
【図４】
0003955357.tif 000005
【図５】
0003955357.tif 000006
【図６】
0003955357.tif 000007
【図７】
0003955357.tif 000008